(57)【要約】【課題】組立を簡便かつ容易に行えるようにし、強風による羽根のばたつきを抑制し飛行特性の向上を図るとともに、骨の端部による凧紙の破損を予防することのできる凧を提供することを目的とする。【解決手段】凧紙２に、凧の対称軸となる中心骨４と、中心骨４に直交する主翼の主要部に配置された主翼主骨５と、中心骨４と主翼主骨５に傾斜して形成する主翼補強骨６を貼り付けて構成する凧において、あらかじめ凧紙２に各骨を配置する箇所３を印刷しておき、その表示に従って各骨の幅とほぼ同一幅の両面テープを配設して、各骨を貼り付けるようにする。【選択図】　　図１
2004129811.tif 000002
【特許請求の範囲】
【請求項１】
凧紙に、凧の対称軸となる中心骨と、前記中心骨に直交する主翼の主要部に配置された主翼主骨と、前記中心骨と前記主翼主骨に傾斜して形成する主翼補強骨を配設して構成する凧において、あらかじめ凧紙に前記各骨を配置する箇所を印刷しておき、該表示に従って各骨の幅とほぼ同一幅の両面テープを配設して、前記各骨を貼り付けるようにしたことを特徴とする凧。
【請求項２】
凧紙に、凧の対称軸となる中心骨と、前記中心骨に直交する主翼の主要部に配置された主翼主骨と、前記中心骨と前記主翼主骨に傾斜して形成する主翼補強骨を配設して構成する凧において、あらかじめ凧紙の前記各骨を配置する箇所に接着剤を塗布するとともに、剥離紙を配設しておき、剥離紙を剥がして、前記各骨を貼り付けるようにしたことを特徴とする凧。
【請求項３】
凧紙に、凧の対称軸となる中心骨と、前記中心骨に直交する主翼の主要部に配置された主翼主骨と、前記中心骨と前記主翼主骨に傾斜して形成する主翼補強骨を配設して構成する凧において、あらかじめ凧紙の前記各骨のうちの主要な骨を配置する箇所を空間部を有する２重構造とし、該２重構造の空間部に骨を挿入して、装着するようにしたことを特徴とする凧。
【請求項４】
主翼主骨の端部の材質を、中央部分の材質に比して、強度、剛性が低い材質としたことを特徴とする請求項１又は３記載の凧。
【請求項５】
凧の対称軸上に取り付ける凧糸取付部分を主翼補強骨と中心骨の交点よりも下方にしたことを特徴とする請求項１、２、３又は４記載の凧。
【請求項６】
主翼主骨の端部において該主翼主骨と交差する縦骨を備え、該縦骨は、下方端部の材質を、主要部分の材質に比して強度、剛性が低い材質としたことを特徴とする請求項１、２、３、４又は５記載の凧。
【請求項７】
凧紙には、骨の端部位置に、保護テープを貼り付けたことを特徴とする請求項１、２、３、４、５又は６記載の凧。
【請求項８】
凧紙には、凧の対称軸に対して対となるように面ファスナーを貼り付けたことを特徴とする請求項１、２、３、４、５、６又は７記載の凧。
【請求項９】
凧に、強制的な推力を付与する推力付与手段を配設したことを特徴とする請求項１、２、３、４、５、６、７又は８記載の凧。
【請求項１０】
推力付与手段が、ゴム風船であることを特徴とする請求項９記載の凧。
【請求項１１】
推力付与手段が、ゴム等によって駆動されるプロペラであることを特徴とする請求項９記載の凧。
【発明の詳細な説明】
【０００１】
【発明の属する技術分野】
本発明は、飛行特性を改善した凧に関し、特に、その組立方法を改善した凧に関するものである。
【０００２】
【従来の技術】
古来より種々の凧が考案され、用いられているが、近年、流体力学、特に、航空力学を設計に取り入れることにより、飛行特性を改善した凧が提案されている（例えば、特開２０００−２６２７７２号公報参照）。
【０００３】
図１１〜図１３に、特開２０００−２６２７７２号公報に開示されている凧を示す。
この凧２０は、中心骨２１、主翼主骨２２、主翼前縁骨２３、主翼補強骨２４、主翼中間縦骨２５、尾翼骨２６、主翼延長骨２７、主翼細骨２８、凧紙２９を主要構成部材とし、中心骨２１と主翼主骨２２は、主翼主骨継手３３によって、また、中心骨２１と主翼補強骨２４は、主翼補強骨継手３４によって取り付けられている。３２は、主翼中間補強骨を、３１、３２は、それぞれ、主翼、尾翼を示すものである。
【０００４】
そして、この凧２０は、組み立てるに際して、まず、凧紙２９の中心対称軸に中心骨２１を配置する。次に、水平方向の主翼主骨２２を主翼３１の主要部に配置する。中心骨２１と主翼主骨２２、図１３（ａ）に示すような樹脂製の主翼主骨継手３３を使って連結し、中心骨２１を中心に屈曲できる構造とする。主翼補強骨２４も同様にして、主翼補強骨継手３４を使って組み立てる。骨材は組み立て次第、凧紙２９に接着し、相互に固定していく。
【０００５】
残りの骨材も同様に接着していき、骨組みが完成したら、図１２に示すように、左右の主翼主骨２２をバネ３５とバネ継手３６、３６で上反角θをもたせて組み立てる。図１３（ｂ）では、バネ継手３６を鈍角に折り曲げて使用しているが、鋭角に折り曲げて使用する場合もある。
【０００６】
各継手には骨材をはめ込んで固定する複数の穴、又は溝が設けられている。溝は断面が略Ｕ字形であるが、入口が少しせまい馬蹄形にして骨材を固定できるようになっている。
【０００７】
【発明が解決しようとする課題】
ところで、上記特開２０００−２６２７７２号公報に開示されている凧２０は、飛行特性は改善されてはいるものの、凧紙への骨の貼り付けなどの組立に一定の熟練が必要で、特に骨の位置のズレは飛行特性に大きな影響を与える問題となる。
また、高い高度の飛行中に強風の影響により羽根がばたつき飛行安定性が低下したり墜落するなどの問題もある。
さらに、長期間の使用によって骨の端部が凧紙を突き抜け、そこから凧紙が破れることがあり、飛行中においては墜落の大きな原因となる等の問題があった。
【０００８】
本発明はかかる問題点に鑑み、その組立を簡便かつ容易に行えるようにし、強風による羽根のばたつきを抑制し飛行特性の向上を図るとともに、骨の端部による凧紙の破損を予防することのできる凧を提供することを目的とする。
【０００９】
【課題を解決するための手段】
上記目的を達成するため、本第１発明の凧は、凧紙に、凧の対称軸となる中心骨と、前記中心骨に直交する主翼の主要部に配置された主翼主骨と、前記中心骨と前記主翼主骨に傾斜して形成する主翼補強骨を配設して構成する凧において、あらかじめ凧紙に前記各骨を配置する箇所を印刷しておき、該表示に従って各骨の幅とほぼ同一幅の両面テープを配設して、前記各骨を貼り付けるようにしたことを特徴とする。
【００１０】
この凧は、凧紙にあらかじめ凧を構成する各骨の配置位置を印刷するとともに、骨の取付用を両面テープをもってするようにしたから、初心者であっても簡便かつ正確に凧の組立をすることができる。
【００１１】
また、同じ目的を達成するため、本第２発明の凧は、凧紙に、凧の対称軸となる中心骨と、前記中心骨に直交する主翼の主要部に配置された主翼主骨と、前記中心骨と前記主翼主骨に傾斜して形成する主翼補強骨を配設して構成する凧において、あらかじめ凧紙の前記各骨を配置する箇所に接着剤を塗布するとともに、剥離紙を配設しておき、剥離紙を剥がして、前記各骨を貼り付けるようにしたことを特徴とする。
【００１２】
この凧は、剥離紙を剥がし、各骨を接着剤の上に載せるだけでよく、さらに簡便に組立が行えるとともに、各骨は接着剤により強固に取り付けることができる。
【００１３】
また、同じ目的を達成するため、本第３発明の凧は、凧紙に、凧の対称軸となる中心骨と、前記中心骨に直交する主翼の主要部に配置された主翼主骨と、前記中心骨と前記主翼主骨に傾斜して形成する主翼補強骨を配設して構成する凧において、あらかじめ凧紙の前記各骨のうちの主要な骨を配置する箇所を空間部を有する２重構造とし、該２重構造の空間部に骨を挿入して、装着するようにしたことを特徴とする。
【００１４】
この凧は、凧紙の主要な骨を配置する２重構造の空間部に骨を挿入して、装着するようにしたから、初心者であっても簡便かつ正確に凧の組立をすることができる。
【００１５】
この場合において、主翼主骨の端部の材質を、中央部分の材質に比して、強度、剛性が低い材質とすることができる。
【００１６】
これにより、上空で強風に煽られた際でも、主翼主骨の端部が折れることなく飛行安定性を向上させることができる。
【００１７】
また、凧の対称軸上に取り付ける凧糸取付部分を主翼補強骨と中心骨の交点よりも下方に設けることができる。
【００１８】
これにより、上下２カ所に存在する凧糸取付部分の間隔が大きくなり、上空に上がった凧を引く凧糸の張力によって引っ張り応力が増加し、凧の中心部の強度を増すことができる。
【００１９】
また、主翼主骨の端部において該主翼主骨と交差する縦骨を備え、該縦骨は、下方端部の材質を、主要部分の材質に比して強度、剛性が低い材質とすることができる。
【００２０】
これにより、縦骨端部の強風による破損を防止することができる。
【００２１】
また、凧紙には、骨の端部位置に、保護テープを貼り付けることができる。
【００２２】
これにより、長期間の使用によっても、骨の端部が凧紙を突き抜け凧紙を破損することがない。
【００２３】
また、凧紙には、凧の対称軸に対して対となるように面ファスナーを貼り付けることができる。
【００２４】
これにより、垂直尾翼を簡便に尾翼に構成することができる。
【００２５】
さらに、凧に、強制的な推力を付与する推力付与手段を配設することができる。
【００２６】
これにより、無風状態においても凧を一定の高度まで浮上させることができる。
【００２７】
この場合において、推力付与手段を、ゴム風船とすることができる。
【００２８】
これにより、推力付与手段を設けることによって生じる余分な加重を最小限に抑えることができる。
【００２９】
この場合において、推力付与手段を、ゴム等によって駆動されるプロペラとすることができる。
【００３０】
これにより、推力付与手段による推力の付与を長時間に亘って凧に作用せしめることができる。
【００３１】
【発明の実施の形態】
以下、本発明の凧の実施の形態を図面に基づいて説明する。
【００３２】
図１〜図１０に、本発明の凧の実施例を示す。
この凧１は、従来例と同様、凧の対称軸となる中心骨４、主翼の主要部となる空力中心の近傍に配置された主翼主骨５、板骨９、主翼補強骨６を主要構成部材とし、中心骨４と平行にかつ、板骨９の両端部から中心骨をはさんで対称に縦骨７を、尾翼１２の側方外縁部分の形状保持のための尾翼骨１０を、主翼１１端部の上方外縁部分の形状保持のために主翼細骨１３を、主翼１１の中間部分を補強する主翼中間補強骨１４をそれぞれ、凧紙２にあらかじめ印刷された骨配置箇所３に対し各骨の幅とほぼ同一幅の両面テープを使って貼り付けるようにしたもので、骨配置箇所３は図に示すように波線や薄い実線をもって示し、両面テープをあらかじめ貼り付けておくようにしてもよい。
【００３３】
この場合において、骨の配置箇所３に、図２に示すように、接着剤Ｓを塗布し、その上に剥離紙Ｐを配設するようにしてもよい。
【００３４】
また、主要な骨、特に限定されるものではないが、本実施例においては、中心骨４及び主翼主骨５の配置箇所３に、図３〜図４に示すように、テープ１７を融着又は接着することによって、空間部１８を有する２重構造とし、この２重構造の空間部１８に骨４、５を挿入して、装着するようにしてもよい。
たことを特徴とする。
【００３５】
次に、図５は主翼１１の端部拡大図で、主翼主骨５の端部（図例では左側）の素材を縦骨７を境に強度及び剛性の低い材質としたもので、例えば中央部分の主翼主骨５ａの材質を木材・カーボンと言った強度・剛性の高いものを使用し、端部の主翼主骨５ｂの材質をポリプロピレン（以下、ＰＰ材）等を使用する。
この際、中央部分の主翼主骨５ａと端部の主翼主骨５ｂには図６に示す重複部分ｌを設けて取り付けることが好ましい
【００３６】
また、縦骨７を全領域に亘り、強度・剛性の高い材質を使用した場合、該縦骨７を境に羽根が左右でばたつきを起こすため、縦骨７も同様にして強度・剛性の高い材質を使用した縦骨７ａとＰＰ材などを使用した縦骨７ｂに分割して構成する。主要部と端部の境は、主翼主骨５においては縦骨７を境にし、また縦骨７においては図５に示す一点波線（概ね縦骨を三等分した下方１／３が端部）を境にする。
【００３７】
この際、図７に示すように、縦骨７ｂを中空円筒のＰＰ材（例えば家庭で利用されるストローなど）を使用するとともに、縦骨７ａを該縦骨７ｂの内筒に挿入可能な径の円筒部材（例えばカーボンファイバなど）を使用し、図に示す如く縦骨７ａを縦骨７ｂの内筒に挿入して構成する。
これにより、縦骨７ａが該縦骨７ｂの中に固定されずに挿入されているので、翼の後縁部の振動が発生した際、縦骨７ａと該縦骨７ｂが相対的に運動し、相互の摩擦で振動エネルギーを吸収することができる。
【００３８】
次に凧糸取付部分８について説明する。従来の凧糸取付部分８’は、図８において波線部分で示すように上下２カ所に設け、凧糸の端部を中心骨４に結びつける等の方法で取り付ける基準となる箇所である。
凧糸取付部分８’の下側は、波線で示す主翼補強骨６’の上側に位置し、主翼１１を補強する役割は、主翼補強骨６’のみでなされていた。
本発明における凧では、主翼補強骨６を従来に比して小さくし、下方の凧糸取付部分８を主翼補強骨６よりも下げ、凧糸取付部８、８間を大きく取りその引っ張り応力により中心部の強度を補うようにしたものである。
【００３９】
図９に示す１５は、凧紙２上に取り付ける各骨の端部位置に相当する箇所にあらかじめ貼り付けた保護テープを示し、強度上、フィラー（繊維）入りのテープを使用することが好ましい。
【００４０】
さらに、尾翼１２に中心骨４を対称軸として配設した面ファスナー１６によって図１０に示す如く形状を構成し、凧の垂直尾翼とすることができる。
また、面ファスナーを凧の顔（図例のように凧の形状が鳥の場合では鳥の顔となる）の部分に配設することにより、組立後の凧の完成品が立体的となり見栄えが良好となる。
【００４１】
また、無風状態での凧の浮揚に際しては、凧に強制的な推力を付与する推力付与手段を配設することができる。
【００４２】
この、推力付与手段は、ゴム風船やゴム等によって駆動されるプロペラの他、凧を上空に向けて浮揚せしめる推力を凧に与えるものであればよい。
【００４３】
以上、本発明の凧について、その実施例に基づいて説明したが、本発明は上記実施例に記載した構成に限定されるものではなく、その趣旨を逸脱しない範囲において適宜その構成を変更することができるものである。
【００４４】
【発明の効果】
以上の如く本発明によるときは、各骨の配置位置をあらかじめ凧紙に印刷し、各骨の固定方法に両面テープを用いるようにしたから、初心者であっても簡単に凧の組立をすることができる。
【００４５】
また、各骨の配置位置にあらかじめ接着剤を塗布するとともに、剥離紙を配設するときは、剥離紙を剥がして各骨を取り付けるのみでよく、さらに簡便かつ短時間で凧の組立が完成する。
【００４６】
また、凧紙の主要な骨を配置する２重構造の空間部に骨を挿入して、装着するときは、初心者であっても簡便かつ正確に凧の組立をすることができる。
【００４７】
また、主翼主骨の端部の材質を、中央部分の材質に比して、強度、剛性が低い材質とするときは、上空での強風によっても縦骨を境に主翼主軸の骨が折れることがなく風力によってたわむようになるから、飛行安定性に優れた凧となる。
【００４８】
また、凧の対称軸上に取り付ける凧糸取付部分の下方の取付部分を主翼補強骨と中心骨の交点よりも下方に設けるようにした場合は、凧を引く凧糸の張力によって引っ張り応力が増加し、凧の中心部の強度を増すことができるとともに、主翼補強骨を従来に比して短いものとすることができるので、凧の軽量化と材料費の低減を図ることができる。
【００４９】
また、縦骨は、下方端部の材質を、主要部分の材質に比して強度、剛性が低い材質とし、下方端部を中空円筒、主要部分を該中空部に挿入するときはフリクションによるダンピング効果によって羽根のばたつきを効果的に吸収することができる。
【００５０】
また、凧紙上の骨の端部が位置する箇所に、あらかじめ保護テープを貼り付けるときは長期間の使用によっても凧紙が破損することがないとともに、上空において強風の影響によって凧の羽根がたわんだ際も、骨の端部が凧紙を破ることはない。
【００５１】
凧の対称軸に対して対となるように面ファスナーを貼り付けるときは、飛行させる際には簡便に垂直尾翼を構成することができ、部屋で壁に掛け装飾用として飾る際には面ファスナーの接離によって平面状態に戻して壁に掛けることができる。また、面ファスナーを凧の顔に該当する箇所に取り付けるときは、凧の顔が立体的に表現され、飛行中においても見栄えの良い凧とすることができる。
【００５２】
さらに、凧に強制的な推力を付与する推力付与手段を配設するときは、無風状態や室内においても凧を浮揚させることができる等の効果を有する。
【図面の簡単な説明】
【図１】本発明の凧の実施例を示す正面図である。
【図２】接着剤と剥離紙の関係を説明する斜視図である。
【図３】主要な骨を配置する箇所を空間部を有する２重構造とした凧の実施例を示す正面図である。
【図４】（ａ）は、図３のＡ−Ａ線断面図、（ｂ）は、図３のＢ−Ｂ線断面図である。主翼の拡大説明図である。
【図５】主翼の拡大説明図である。
【図６】図５におけるＭ部分の拡大図である。
【図７】縦骨の構成を説明する斜視図である。
【図８】凧糸取付部分を説明する凧の正面図である。
【図９】保護テープの配置箇所を説明する凧の正面図である。
【図１０】面ファスナーを利用した尾翼構成を説明する斜視図である。
【図１１】従来の凧の正面図である。
【図１２】同凧にバネを取り付けた状態を示す斜視図である。
【図１３】同凧の骨組みに用いる継手の構造を示す斜視図である。
【符号の説明】
１　　凧
２　　凧紙
３　　骨配置箇所
４　　中心骨
５　　主翼主骨
７　　縦骨
８　　凧糸取付部分
１４　主翼補強骨
１５　保護テープ
１６　面ファスナー
１７　テープ
１８　空間部
Ｓ　　接着剤
Ｐ　　剥離紙
【図１】
2004129811.tif 000003
【図２】
2004129811.tif 000004
【図３】
2004129811.tif 000005
【図４】
2004129811.tif 000006
【図５】
2004129811.tif 000007
【図６】
2004129811.tif 000008
【図７】
2004129811.tif 000009
【図８】
2004129811.tif 000010
【図９】
2004129811.tif 000011
【図１０】
2004129811.tif 000012
【図１１】
2004129811.tif 000013
【図１２】
2004129811.tif 000014
【図１３】
2004129811.tif 000015